(57)【要約】      （修正有）【課題】Ｄ２Ｄ通信における送受信されたデータ量をネットワークが知ることが可能なユーザ端末、基地局及びプロセッサを提供する。【解決手段】ユーザ端末は、基地局から割り当てられる無線リソースを用いて行う直接的な端末間通信であるＤ２Ｄ通信をサポートする移動通信システムにおけるユーザ端末である。前記ユーザ端末は、前記ユーザ端末と前記基地局との接続を確立した状態で、前記無線リソースを用いて前記Ｄ２Ｄ通信を行う制御部と、前記Ｄ２Ｄ通信において送信又は受信したデータ量の少なくとも一方を示すデータ量情報を前記基地局に送信する送信部と、を備える。【選択図】図８
2014233012.tif 000002
【特許請求の範囲】
【請求項１】
基地局から割り当てられる無線リソースを用いて行う直接的な端末間通信であるＤ２Ｄ通信をサポートする移動通信システムにおけるユーザ端末であって、
前記ユーザ端末と前記基地局との接続を確立した状態で、前記無線リソースを用いて前記Ｄ２Ｄ通信を行う制御部と、
前記Ｄ２Ｄ通信において送信又は受信したデータ量の少なくとも一方を示すデータ量情報を前記基地局に送信する送信部と、を備えることを特徴とするユーザ端末。
【請求項２】
前記ユーザ端末が前記データ量情報を送信する周期を示す周期情報を前記基地局から受信する受信部をさらに備え、
前記送信部は、前記周期情報に基づいて、前記データ量情報を送信することを特徴とする請求項１に記載のユーザ端末。
【請求項３】
前記ユーザ端末が前記データ量情報を送信する要求を前記基地局から受信する受信部をさらに備え、
前記送信部は、前記要求に基づいて、前記データ量情報を送信することを特徴とする請求項１に記載のユーザ端末。
【請求項４】
前記制御部は、前記Ｄ２Ｄ通信における送信待ちのデータである未送信データを保持するＤ２Ｄ専用の送信バッファを有し、
前記送信部は、前記送信バッファに関するバッファ状態報告と共に、前記データ量情報を送信することを特徴とする請求項１に記載のユーザ端末。
【請求項５】
前記送信部は、前記データ量情報として、前記基地局から割り当てられた前記無線リソースに対する前記ユーザ端末が前記Ｄ２Ｄ通信において使用した使用無線リソースの割合である無線リソース使用率を送信することを特徴とする請求項１に記載のユーザ端末。
【請求項６】
前記制御部は、データ量とインデックスとが対応付けられたテーブルを用いて、前記データ量を前記インデックスに変換し、
前記送信部は、前記データ量情報として、前記インデックスを送信することを特徴とする請求項１に記載のユーザ端末。
【請求項７】
前記送信部は、前記ユーザ端末及び前記ユーザ端末と前記Ｄ２Ｄ通信を行っている他のユーザ端末を代表して、前記データ量情報を送信することを特徴とする請求項１に記載のユーザ端末。
【請求項８】
基地局から割り当てられる無線リソースを用いて行う直接的な端末間通信であるＤ２Ｄ通信をサポートする移動通信システムにおける前記基地局であって、
ユーザ端末と前記基地局との接続を確立した状態で、前記ユーザ端末に前記無線リソースを割り当てて、前記Ｄ２Ｄ通信を制御する制御部と、
前記ユーザ端末が前記Ｄ２Ｄ通信において送信又は受信したデータ量の少なくとも一方を示すデータ量情報を前記ユーザ端末から受信する受信部と、を備えることを特徴とする基地局。
【請求項９】
前記ユーザ端末が前記データ量情報を送信する周期を示す周期情報を前記ユーザ端末に送信する送信部をさらに備え、
前記受信部は、前記周期情報に基づいて、前記データ量情報を受信することを特徴とする請求項８に記載の基地局。
【請求項１０】
前記データ量情報を送信することを前記ユーザ端末に要求する送信部をさらに備えることを特徴とする請求項８に記載の基地局。
【請求項１１】
前記受信部は、前記Ｄ２Ｄ通信における送信待ちのデータである未送信データを保持するＤ２Ｄ専用の送信バッファに関するバッファ状態報告と共に、前記データ量情報を前記ユーザ端末から受信し、
前記制御部は、前記データ量情報及び前記バッファ状態報告に基づいて、前記ユーザ端末に前記無線リソースを割り当てることを特徴とする請求項８に記載の基地局。
【請求項１２】
前記受信部は、前記データ量情報として、前記基地局から割り当てられた前記無線リソースに対する前記ユーザ端末が前記Ｄ２Ｄ通信において使用した使用無線リソースの割合である無線リソース使用率を受信し、
前記制御部は、前記無線リソース使用率と前記ユーザ端末に割り当てた前記無線リソースとを用いて、前記データ量を算出することを特徴とする請求項８に記載の基地局。
【請求項１３】
前記受信部は、前記データ量情報として、インデックスを受信し、
前記制御部は、前記インデックスと、前記データ量と前記インデックスとが対応付けられたテーブルとを用いて、前記データ量を算出することを特徴とする請求項８に記載の基地局。
【請求項１４】
基地局から割り当てられる無線リソースを用いて行う直接的な端末間通信であるＤ２Ｄ通信をサポートする移動通信システムにおけるユーザ端末に備えられるプロセッサであって、
前記ユーザ端末と前記基地局との接続を確立した状態で、前記無線リソースを用いて前記Ｄ２Ｄ通信を行う処理を実行し、
前記Ｄ２Ｄ通信において送信又は受信したデータ量の少なくとも一方を示すデータ量情報を前記基地局に送信する処理を実行することを特徴とするプロセッサ。
【発明の詳細な説明】
【技術分野】
【０００１】
本発明は、Ｄ２Ｄ通信をサポートする移動通信システムにおけるユーザ端末、基地局及びプロセッサに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）通信の導入が検討されている（非特許文献１参照）。
【０００３】
Ｄ２Ｄ通信では、近接する複数のユーザ端末が、基地局を経由せずに直接的な通信を行う。すなわち、Ｄ２Ｄ通信のデータパスは、基地局を経由しない。一方、移動通信システムの通常の通信（セルラ通信）のデータパスは、基地局を経由する。
【先行技術文献】
【非特許文献】
【０００４】
【非特許文献１】３ＧＰＰ技術報告  「ＴＲ  ２２．８０３  Ｖ１．１．０」  ２０１２年１１月
【発明の概要】
【発明が解決しようとする課題】
【０００５】
セルラ通信のデータパスは、基地局を経由するため、基地局を含むネットワークは、セルラ通信において送受信されたデータ量を知ることができる。
【０００６】
しかしながら、Ｄ２Ｄ通信のデータパスは、基地局を経由しないため、ネットワークがＤ２Ｄ通信において送受信されたデータ量を知ることができない。このため、例えば、Ｄ２Ｄ通信において送受信されたデータ量に基づいて課金を行う料金プランを実現できないという問題がある。
【０００７】
そこで、本発明は、Ｄ２Ｄ通信における送受信されたデータ量をネットワークが知ることが可能なユーザ端末、基地局及びプロセッサを提供する。
【課題を解決するための手段】
【０００８】
一実施形態によれば、ユーザ端末は、基地局から割り当てられる無線リソースを用いて行う直接的な端末間通信であるＤ２Ｄ通信をサポートする移動通信システムにおけるユーザ端末である。前記ユーザ端末は、前記ユーザ端末と前記基地局との接続を確立した状態で、前記無線リソースを用いて前記Ｄ２Ｄ通信を行う制御部と、前記Ｄ２Ｄ通信において送信又は受信したデータ量の少なくとも一方を示すデータ量情報を前記基地局に送信する送信部と、を備える。
【発明の効果】
【０００９】
本発明に係る基地局、ユーザ端末及びプロセッサによれば、Ｄ２Ｄ通信における送受信されたデータ量をネットワークが知ることが可能である。
【図面の簡単な説明】
【００１０】
【図１】図１は、ＬＴＥシステムの構成図である。
【図２】図２は、ＵＥのブロック図である。
【図３】図３は、ｅＮＢのブロック図である。
【図４】図４は、ＬＴＥシステムにおける無線インターフェイスのプロトコルスタック図である。
【図５】図５は、ＬＴＥシステムで使用される無線フレームの構成図である。
【図６】図６は、セルラ通信におけるデータパスを示す図である。
【図７】図７は、Ｄ２Ｄ通信におけるデータパスを示す図である。
【図８】図８は、第１実施形態に係る移動通信システムの動作例を示すシーケンス図である。
【図９】図９は、第２実施形態に係る移動通信システムの動作例を示すシーケンス図である。
【図１０】図１０は、第３実施形態に係る移動通信システムの動作例を示すシーケンス図である。
【発明を実施するための形態】
【００１１】
［実施形態の概要］
第１から第３実施形態に係るユーザ端末は、基地局から割り当てられる無線リソースを用いて行う直接的な端末間通信であるＤ２Ｄ通信をサポートする移動通信システムにおけるユーザ端末である。前記ユーザ端末は、前記ユーザ端末と前記基地局との接続を確立した状態で、前記無線リソースを用いて前記Ｄ２Ｄ通信を行う制御部と、前記Ｄ２Ｄ通信において送信又は受信したデータ量の少なくとも一方を示すデータ量情報を前記基地局に送信する送信部と、を備える。
【００１２】
第１実施形態において、前記ユーザ端末は、前記ユーザ端末が前記データ量情報を送信する周期を示す周期情報を前記基地局から受信する受信部をさらに備える。前記送信部は、前記周期情報に基づいて、前記データ量情報を送信する。
【００１３】
第２実施形態において、前記ユーザ端末は、前記ユーザ端末が前記データ量情報を送信する要求を前記基地局から受信する受信部をさらに備える。前記送信部は、前記要求に基づいて、前記データ量情報を送信する。
【００１４】
第３実施形態に係るユーザ端末において、前記制御部は、前記Ｄ２Ｄ通信における送信待ちのデータである未送信データを保持するＤ２Ｄ専用の送信バッファを有し、前記送信部は、前記送信バッファに関するバッファ状態報告と共に、前記データ量情報を送信する。
【００１５】
第１から第３実施形態に係るユーザ端末において、前記送信部は、前記データ量情報として、前記基地局から割り当てられた前記無線リソースに対する前記ユーザ端末が前記Ｄ２Ｄ通信において使用した使用無線リソースの割合である無線リソース使用率を送信する。
【００１６】
第１から第３実施形態に係るユーザ端末において、前記制御部は、データ量とインデックスとが対応付けられたテーブルを用いて、前記データ量を前記インデックスに変換し、前記送信部は、前記データ量情報として、前記インデックスを送信する。
【００１７】
その他実施形態に係るユーザ端末において、前記送信部は、前記ユーザ端末及び前記ユーザ端末と前記Ｄ２Ｄ通信を行っている他のユーザ端末を代表して、前記データ量情報を送信する。
【００１８】
第１から第３実施形態に係る基地局は、基地局から割り当てられる無線リソースを用いて行う直接的な端末間通信であるＤ２Ｄ通信をサポートする移動通信システムにおける基地局である。前記基地局は、ユーザ端末と前記基地局との接続を確立した状態で、前記ユーザ端末に前記無線リソースを割り当てて、前記Ｄ２Ｄ通信を制御する制御部と、前記ユーザ端末が前記Ｄ２Ｄ通信において送信又は受信したデータ量の少なくとも一方を示すデータ量情報を前記ユーザ端末から受信する受信部と、を備える。
【００１９】
第１実施形態において、前記基地局は、前記ユーザ端末が前記データ量情報を送信する周期を示す周期情報を前記ユーザ端末に送信する送信部をさらに備え、前記受信部は、前記周期情報に基づいて、前記データ量情報を受信する。
【００２０】
第２実施形態において、前記基地局は、前記データ量情報を送信することを前記ユーザ端末に要求する送信部をさらに備える。
【００２１】
第３実施形態に係る基地局において、前記受信部は、前記Ｄ２Ｄ通信における送信待ちのデータである未送信データを保持するＤ２Ｄ専用の送信バッファに関するバッファ状態報告と共に、前記データ量情報を前記ユーザ端末から受信し、前記制御部は、前記データ量情報及び前記バッファ状態報告に基づいて、前記ユーザ端末に前記無線リソースを割り当てる。
【００２２】
第１から第３実施形態に係る基地局において、前記受信部は、前記データ量情報として、前記基地局から割り当てられた前記無線リソースに対する前記ユーザ端末が前記Ｄ２Ｄ通信において使用した使用無線リソースの割合である無線リソース使用率を受信し、前記制御部は、前記無線リソース使用率と前記ユーザ端末に割り当てた前記無線リソースとを用いて、前記データ量を算出する。
【００２３】
第１から第３実施形態に係る基地局において、前記受信部は、前記データ量情報として、インデックスを受信し、前記制御部は、前記インデックスと、前記データ量と前記インデックスとが対応付けられたテーブルとを用いて、前記データ量を算出する。
【００２４】
第１から第３実施形態に係るプロセッサは、基地局から割り当てられる無線リソースを用いて行う直接的な端末間通信であるＤ２Ｄ通信をサポートする移動通信システムにおけるユーザ端末に備えられるプロセッサである。前記プロセッサは、前記ユーザ端末と前記基地局との接続を確立した状態で、前記無線リソースを用いて前記Ｄ２Ｄ通信を行う処理を実行し、前記Ｄ２Ｄ通信において送信又は受信したデータ量の少なくとも一方を示すデータ量情報を前記基地局に送信する処理を実行する。
【００２５】
以下、図面を参照して、３ＧＰＰ規格に準拠して構成されるセルラ移動通信システム（以下、「ＬＴＥシステム」）にＤ２Ｄ通信を導入する場合の各実施形態を説明する。
【００２６】
［第１実施形態］
（ＬＴＥシステム）
図１は、本実施形態に係るＬＴＥシステムの構成図である。
【００２７】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００２８】
ＵＥ１００は、移動型の無線通信装置であり、接続を確立したセル（サービングセル）との無線通信を行う。ＵＥ１００はユーザ端末に相当する。
【００２９】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを管理しており、セルとの接続を確立したＵＥ１００との無線通信を行う。
【００３０】
なお、「セル」は、無線通信エリアの最小単位を示す用語として使用される他に、ＵＥ１００との無線通信を行う機能を示す用語としても使用される。
【００３１】
ｅＮＢ２００は、例えば、無線リソース管理（ＲＲＭ）機能と、ユーザデータのルーティング機能と、モビリティ制御及びスケジューリングのための測定制御機能と、を有する。
【００３２】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ４００（Ｏｐｅｒａｔｉｏｎ  ａｎｄ  Ｍａｉｎｔｅｎａｎｃｅ）と）を含む。また、ＥＰＣ２０は、コアネットワークに相当する。
【００３３】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３４】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００３５】
ＯＡＭ４００は、オペレータによって管理されるサーバ装置であり、Ｅ−ＵＴＲＡＮ１０の保守及び監視を行う。
【００３６】
次に、ＵＥ１００及びｅＮＢ２００の構成を説明する。
【００３７】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００３８】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３９】
アンテナ１０１及び無線送受信機１１０は、無線信号の送受信に用いられる。アンテナ１０１は、複数のアンテナ素子を含む。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００４０】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００４１】
ＧＮＳＳ受信機１３０は、ＵＥ１００の地理的な位置を示す位置情報を得るために、ＧＮＳＳ信号を受信して、受信した信号をプロセッサ１６０に出力する。
【００４２】
バッテリ１４０は、ＵＥ１００の各ブロックに供給すべき電力を蓄える。
【００４３】
メモリ１５０は、プロセッサ１６０によって実行されるプログラムと、プロセッサ１６０による処理に使用される情報と、を記憶する。
【００４４】
本実施形態において、メモリ１５０は、Ｄ２Ｄ通信における送信待ちのデータである未送信データを保持するＤ２Ｄ専用の送信バッファを有する。
【００４５】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４６】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）をプロセッサ２４０’としてもよい。
【００４７】
アンテナ２０１及び無線送受信機２１０は、無線信号の送受信に用いられる。アンテナ２０１は、複数のアンテナ素子を含む。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００４８】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４９】
メモリ２３０は、プロセッサ２４０によって実行されるプログラムと、プロセッサ２４０による処理に使用される情報と、を記憶する。
【００５０】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００５１】
図４は、ＬＴＥシステムにおける無線インターフェイスのプロトコルスタック図である。
【００５２】
図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００５３】
物理レイヤは、符号化・復号、変調・復調、アンテナマッピング・デマッピング、及びリソースマッピング・デマッピングを行う。物理レイヤは、物理チャネルを用いて上位レイヤに伝送サービスを提供する。ＵＥ１００の物理レイヤとｅＮＢ２００の物理レイヤとの間では、物理チャネルを介してデータが伝送される。
【００５４】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割り当てリソースブロックを決定するＭＡＣスケジューラを含む。
【００５５】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５６】
ＰＤＣＰレイヤは、ヘッダ圧縮・伸張、及び暗号化・復号化を行う。
【００５７】
ＲＲＣレイヤは、制御プレーンでのみ定義される。ＵＥ１００のＲＲＣレイヤとｅＮＢ２００のＲＲＣレイヤとの間では、各種設定のための制御信号（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態であり、そうでない場合、ＵＥ１００はアイドル状態である。
【００５８】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００５９】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ使用される。
【００６０】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００６１】
ＵＥ１００に割り当てられる無線リソースのうち、周波数リソースはリソースブロックにより特定でき、時間リソースはサブフレーム（又はスロット）により特定できる。
【００６２】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）が分散して配置される。
【００６３】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。さらに、各サブフレームには、復調参照信号（ＤＭＲＳ）及びサウンディング参照信号（ＳＲＳ）が配置される。
【００６４】
（Ｄ２Ｄ通信）
次に、ＬＴＥシステムの通常の通信（セルラ通信）とＤ２Ｄ通信とを比較して説明する。
【００６５】
図６は、セルラ通信におけるデータパスを示す図である。ここでは、ｅＮＢ２００−１との接続を確立したＵＥ１００−１と、ｅＮＢ２００−２との接続を確立したＵＥ１００−２と、の間でセルラ通信を行う場合を例示している。なお、データパスとは、ユーザデータ（ユーザプレーン）の転送経路を意味する。
【００６６】
図６に示すように、セルラ通信のデータパスはネットワークを経由する。詳細には、ｅＮＢ２００−１、Ｓ−ＧＷ３００、及びｅＮＢ２００−２を経由するデータパスが設定される。
【００６７】
図７は、Ｄ２Ｄ通信におけるデータパスを示す図である。ここでは、ｅＮＢ２００−１との接続を確立したＵＥ１００−１と、ｅＮＢ２００−２との接続を確立したＵＥ１００−２と、の間でＤ２Ｄ通信を行う場合を例示している。
【００６８】
例えば、ＵＥ１００−１及びＵＥ１００−２のうち一方のＵＥ１００が、近傍に存在する他方のＵＥ１００を発見することで、Ｄ２Ｄ通信が開始される。なお、Ｄ２Ｄ通信を開始するために、ＵＥ１００は、自身の近傍に存在する他のＵＥ１００を発見する（Ｄｉｓｃｏｖｅｒ）機能を有する。また、ＵＥ１００は、他のＵＥ１００から発見される(Ｄｉｓｃｏｖｅｒａｂｌｅ)機能を有する。
【００６９】
図７に示すように、Ｄ２Ｄ通信のデータパスはネットワークを経由しない。すなわち、ＵＥ間で直接的な無線通信を行う。このように、ＵＥ１００−１の近傍にＵＥ１００−２が存在するのであれば、ＵＥ１００−１とＵＥ１００−２との間でＤ２Ｄ通信を行うことによって、ネットワークのトラフィック負荷及びＵＥ１００のバッテリ消費量を削減するなどの効果が得られる。
【００７０】
（第１実施形態に係る移動通信システムの概略動作）
次に、第１実施形態に係る移動通信システムの概略動作について、図８を用いて説明する。図８は、第１実施形態に係る移動通信システムの動作例を示すシーケンス図である。
【００７１】
本実施形態において、ＵＥ１００−１及びＵＥ１００−２は、ｅＮＢ２００が管理するセルとの接続を確立している。ｅＮＢ２００は、ＵＥ１００−１とＵＥ１００−２とのＤ２Ｄ通信を制御している。従って、ｅＮＢ２００は、ＵＥ１００−１とＵＥ１００−２とがＤ２Ｄ通信を行うために無線リソースを割り当て、割り当てられた無線リソースを示すスケジューリング情報をＵＥ１００−１及びＵＥ１００−２に送信する。ＵＥ１００−１及びＵＥ１００−２は、割り当てられた無線リソースを用いて、Ｄ２Ｄ通信を行う。
【００７２】
図８に示すように、ステップＳ１０１において、ｅＮＢ２００、ＵＥ１００−１及びＵＥ１００−２は、ＵＥ１００−１とＵＥ１００−２とのＤ２Ｄ通信を行うために、Ｄ２Ｄセットアップ処理を実行する。
【００７３】
具体的には、ＵＥ１００−１及びＵＥ１００−２は、ＵＥ１００−１とＵＥ１００−２との間においてＤ２Ｄリンクを確立する。
【００７４】
さらに、ｅＮＢ２００とＵＥ１００（ＵＥ１００−１及びＵＥ１００−２）とは、ｅＮＢ２００とＵＥ１００との間において、Ｄ２Ｄ通信の制御に用いられる無線ベアラ（Ｄ２Ｄ制御用無線ベアラ）を設定する。このＤ２Ｄ制御用無線ベアラは、Ｄ２Ｄ通信のためにのみ用いられる専用の無線ベアラであってもよいし、セルラ通信及びＤ２Ｄ通信のために用いられる共用の無線ベアラであってもよい。
【００７５】
ＵＥ１００−１及びＵＥ１００−２のそれぞれは、Ｄ２Ｄ制御用無線ベアラを用いて、Ｄ２Ｄ通信において用いられるアプリケーションの識別子又は当該アプリケーションに要求される通信品質（すなわち、ＱｏＳ）の識別子であるＱＣＩ（ＱｏＳ  Ｃｌａｓｓｓ  Ｉｄｅｎｔｉｆｉｅｒ）をｅＮＢ２００に送信する。ｅＮＢ２００は、アプリケーションの識別子又はＱＣＩに基づくアプリケーションの特性に応じて、Ｄ２Ｄ通信における無線リソースを割り当てる。
【００７６】
例えば、Ｄ２Ｄ通信に使用されるアプリケーションによるトラフィックが低負荷かつ一時的である場合（例えば、チャットなどである場合）、ｅＮＢ２００は、他のＤ２Ｄ通信と共用される無線リソースをＤ２Ｄ通信に割り当てる。これにより、無線リソースを節約することができる。
【００７７】
また、Ｄ２Ｄ通信に使用されるアプリケーションによるトラフィックが高負荷かつ連続的である場合（例えば、ストリーミングなどである場合）、ｅＮＢ２００は、専用の無線リソースをＤ２Ｄ通信に周期的に割り当てる。これにより、Ｄ２Ｄ通信において大量のトラフィックを伝送できる。
【００７８】
さらに、Ｄ２Ｄ通信に使用されるアプリケーションによるトラフィックが、高負荷かつ連続的、なおかつ低遅延を要求する場合（例えば、ビデオ通話など）、ｅＮＢ２００は、専用の無線リソースを、周期的に、かつ繰り返し送信が可能になるよう割り当てる。これにより、Ｄ２Ｄ通信において大量のトラフィックを伝送できると共に、通信の信頼度を高めることができる。繰り返し送信とは、同一のデータを複数回繰り返し送信する方式に限らず、送信の度に冗長ビットを変化させて繰り返し送信する方式（例えば、Ｉｎｃｒｅｍｅｎｔａｌ  Ｒｅｄｕｎｄａｎｃｙ方式）であってもよい。
【００７９】
なお、ｅＮＢ２００は、例えば、アプリケーションの識別子及びその特性を対応付けたテーブルを予め記憶しておき、当該テーブルを用いることによって、アプリケーションの特性を把握できる。
【００８０】
Ｄ２Ｄセットアップによって、ＵＥ１００−１及びＵＥ１００−２は、Ｄ２Ｄリンクを確立した後、割り当てられた無線リソースを用いて、Ｄ２Ｄ通信を開始する。
【００８１】
ステップＳ１０２において、ｅＮＢ２００は、ＵＥ１００−１及びＵＥ１００−２のそれぞれにデータ量情報を送信させるために、周期情報を送信する。ＵＥ１００−１及びＵＥ１００−２のそれぞれは、周期情報を受信する。
【００８２】
周期情報は、データ量情報を送信する周期を示す。例えば、周期情報は、Ｄ２Ｄ通信を開始してから所定時間経過する度にデータ量情報を送信することを指示したり、所定の時刻になる度にデータ量情報を送信することを指示したりする情報である。
【００８３】
周期情報は、必ずしも一定の周期である必要はなく、例えば、データ量が所定値に達する度にデータ量情報を送信することを指示する情報であってもよい。また、周期情報は、ＵＥ１００及びｅＮＢ２００が予め認識している所定のタイミングで送信することを指示する情報であってもよい。
【００８４】
データ量情報については、後述する。
【００８５】
ステップＳ１０３において、ＵＥ１００−１及びＵＥ１００−２のそれぞれは、データ量情報をｅＮＢ２００に送信する。ｅＮＢ２００は、ＵＥ１００−１及びＵＥ１００−２のそれぞれからデータ量情報を受信する。
【００８６】
ＵＥ１００−１及びＵＥ１００−２のそれぞれは、Ｄ２Ｄ制御用無線ベアラを用いて、周期情報が指示するタイミングでデータ量情報をｅＮＢ２００に送信する。ｅＮＢ２００は、Ｄ２Ｄ制御用無線ベアラを用いて、周期情報が指示するタイミングで、ＵＥ１００−１及びＵＥ１００−２のそれぞれからデータ量情報を受信する。
【００８７】
データ量情報は、Ｄ２Ｄ通信において送信又は受信したデータ量の少なくとも一方を示す。従って、データ量情報は、Ｄ２Ｄ通信において送信したデータ量、Ｄ２Ｄ通信において受信したデータ量、又はＤ２Ｄ通信において送受信したデータ量を示す。以下、これらのＤ２Ｄ通信におけるデータ量をＤ２Ｄデータ量と適宜称する。
【００８８】
また、データ量情報は、Ｄ２Ｄデータ量が直値で示されたものであってもよく、Ｄ２Ｄデータ量に対応した間接的な値で示されたものであってもよい。
【００８９】
間接的な値で示された例として、データ量情報は、ｅＮＢ２００から割り当てられた無線リソースに対するＵＥ１００−１がＤ２Ｄ通信において使用した使用無線リソース割合である無線リソース使用率（＝使用無線リソース／割り当て無線リソース）であってもよい。すなわち、ＵＥ１００−１及びＵＥ１００−２のそれぞれは、データ量情報として、無線リソース使用率を送信してもよい。この場合、ｅＮＢ２００は、無線リソース使用率と割り当て無線リソースとを用いて、Ｄ２Ｄデータ量を算出する。
【００９０】
また、ｅＮＢ２００、ＵＥ１００−１及びＵＥ１００−２のそれぞれが、Ｄ２Ｄデータ量とインデックスとが対応付けられたテーブルを記憶している場合、ＵＥ１００−１及びＵＥ１００−２のそれぞれは、データ量情報として、インデックスを送信してもよい。すなわち、ＵＥ１００−１及びＵＥ１００−２は、当該テーブルを用いて、Ｄ２Ｄデータ量をインデックスに変換し、当該インデックスをｅＮＢ２００に送信する。ｅＮＢ２００は、インデックスを受信した場合、受信したインデックスと記憶されたテーブルとを用いて、Ｄ２Ｄデータ量を算出する。
【００９１】
ステップＳ１０４において、ステップＳ１０３と同様に、ＵＥ１００−１及びＵＥ１００−２のそれぞれは、データ量情報をｅＮＢ２００に送信する。ｅＮＢ２００は、ＵＥ１００−１及びＵＥ１００−２のそれぞれからデータ量情報を受信する。
【００９２】
以下、Ｄ２Ｄ通信が終了するまで、ステップＳ１０４の処理が繰り返される。
【００９３】
ｅＮＢ２００は、データ量情報を受信した場合、ｅＮＢ２００の上位装置にデータ量情報を送信してもよいし、ｅＮＢ２００の上位装置から要求があるまで保持しておいてもよい。
【００９４】
以上により、ｅＮＢ２００及びｅＮＢ２００の上位装置を含むネットワークは、Ｄ２Ｄデータ量を知ることができる。その結果、例えば、Ｄ２Ｄデータ量に基づいて課金を行う料金プランが実現可能となる。
【００９５】
なお、ＵＥ１００−１及びＵＥ１００−２のそれぞれは、Ｄ２Ｄ通信が終了した場合、Ｄ２Ｄ制御用無線ベアラを用いて、データ量情報を送信する。その後、Ｄ２Ｄ制御用無線ベアラは解放される。
【００９６】
（第１実施形態のまとめ）
本実施形態において、ＵＥ１００−１及びＵＥ１００−２（無線送受信機１１０）のそれぞれは、データ量情報をｅＮＢ２００に送信する。ｅＮＢ２００（無線送受信機２１０）は、データ量情報をＵＥ１００−１及びＵＥ１００−２のそれぞれから受信する。これにより、ｅＮＢ２００は、データ量情報を受信することによって、Ｄ２Ｄデータ量を知ることができる。
【００９７】
また、本実施形態において、ｅＮＢ２００（無線送受信機２１０）は、周期情報をＵＥ１００−１及びＵＥ１００−２のそれぞれに送信し、ＵＥ１００−１及びＵＥ１００−２（無線送受信機１１０）のそれぞれは、周期情報をｅＮＢ２００から受信する。ＵＥ１００−１及びＵＥ１００−２のそれぞれは、周期情報に基づいて、ｅＮＢ２００からのデータ量情報を送信し、ｅＮＢ２００は、周期情報に基づいて、データ量情報を受信する。
【００９８】
また、本実施形態において、ＵＥ１００−１及びＵＥ１００−２（無線送受信機１１０）のそれぞれは、データ量情報として、無線リソース使用率を送信する。ｅＮＢ２００（無線送受信機２１０）は、無線リソース使用率を受信する。ｅＮＢ２００（制御部）は、無線リソース使用率と割り当て無線リソースとを用いてデータ量を算出する。これにより、ｅＮＢ２００及びＵＥ１００間で送受信するデータ量情報のデータ量を低減できる。
【００９９】
また、本実施形態において、ＵＥ１００−１及びＵＥ１００−２（制御部）のそれぞれは、Ｄ２Ｄデータ量とインデックスとが対応付けられたテーブルを用いて、Ｄ２Ｄデータ量をインデックスに変換する。ＵＥ１００−１及びＵＥ１００−２（無線送受信機１１０）のそれぞれは、データ量情報として、変換したインデックスを送信する。ｅＮＢ２００（無線送受信機２１０）は、データ量情報として、インデックスを受信する。ｅＮＢ２００（制御部）は、インデックスと、Ｄ２Ｄデータ量とインデックスとが対応付けられたテーブルとを用いて、Ｄ２Ｄデータ量を算出する。これにより、ｅＮＢ２００及びＵＥ１００間で送受信するデータ量情報のデータ量を低減できる。
【０１００】
［第２実施形態］
（第２実施形態に係る移動通信システムの概略動作）
次に、第２実施形態に係る移動通信システムの概略動作について、図９を用いて説明する。図９は、第２実施形態に係る移動通信システムの動作例を示すシーケンス図である。なお、上述した実施形態と異なる部分を中心に説明し、同様の部分は、説明を適宜省略する。
【０１０１】
上述した第１実施形態では、ｅＮＢ２００は、ＵＥ１００−１及びＵＥ１００−２のそれぞれに周期情報を送信し、ＵＥ１００−１及びＵＥ１００−２のそれぞれは、周期情報に基づいて、データ量情報を送信していた。本実施形態では、ＵＥ１００−１及びＵＥ１００−２のそれぞれは、ｅＮＢ２００からの要求に基づいて、データ量情報を送信する。
【０１０２】
図９に示すように、ＵＥ１００−１及びＵＥ１００−２は、Ｄ２Ｄ通信を行っている。
【０１０３】
ステップＳ２０１において、ｅＮＢ２００は、データ量情報を送信することを要求するデータ量要求をＵＥ１００−１及びＵＥ１００−２のそれぞれに送信する。ＵＥ１００−１及びＵＥ１００−２のそれぞれは、データ量要求を受信する。
【０１０４】
ｅＮＢ２００は、所定の条件下において、データ量要求を送信できる。例えば、ｅＮＢ２００は、ｅＮＢ２００のトラフィック量が所定値以下になった場合に、データ量要求を送信する。また、ｅＮＢ２００は、ＵＥ１００−１及びＵＥ１００−２のＤ２Ｄ通信が終了した場合に、データ量要求を送信してもよい。
【０１０５】
ステップＳ２０２において、ＵＥ１００−１及びＵＥ１００−２のそれぞれは、データ量要求を受信した場合に、データ量情報をｅＮＢ２００に送信する。ｅＮＢ２００は、データ量情報を受信する。
【０１０６】
ステップＳ２０３において、ステップＳ２０１と同様に、ｅＮＢ２００は、データ量要求をＵＥ１００−１及びＵＥ１００−２のそれぞれに送信する。
【０１０７】
ステップＳ２０４において、ステップＳ２０２と同様に、ＵＥ１００−１及びＵＥ１００−２のそれぞれは、データ量情報をｅＮＢ２００に送信する。
【０１０８】
以下、Ｄ２Ｄ通信が終了するまで、ステップＳ２０３及びＳ２０４の処理が繰り返される。
【０１０９】
（第２実施形態のまとめ）
本実施形態において、ｅＮＢ２００（無線送受信機２１０）は、ＵＥ１００−１及びＵＥ１００−２のそれぞれにデータ量要求を送信する。ＵＥ１００−１及びＵＥ１００−２（無線送受信機１１０）のそれぞれは、データ量要求を受信し、データ量要求に基づいて、データ量情報を送信する。これにより、ｅＮＢ２００は、ＵＥ１００−１及びＵＥ１００−２のデータ量情報の送信を制御することができる。
【０１１０】
［第３実施形態］
（第３実施形態に係る移動通信システムの概略動作）
次に、第３実施形態に係る移動通信システムの概略動作について、図１０を用いて説明する。図１０は、第３実施形態に係る移動通信システムの動作例を示すシーケンス図である。なお、上述した実施形態と異なる部分を中心に説明し、同様の部分は、説明を適宜省略する。
【０１１１】
上述した実施形態では、ＵＥ１００−１及びＵＥ１００−２は、データ量情報を送信していた。本実施形態では、ＵＥ１００−１及びＵＥ１００−２は、データ量情報に加えて、バッファ状態報告を送信する。
【０１１２】
図１０に示すように、ステップＳ３０１において、ＵＥ１００−１及びＵＥ１００−２のそれぞれは、バッファ状態報告と共に、データ量情報をｅＮＢ２００に送信する。ｅＮＢ２００は、バッファ状態報告と共に、データ量情報を受信する。
【０１１３】
ＵＥ１００−１及びＵＥ１００−２のそれぞれは、Ｄ２Ｄ通信における送信待ちのデータである未送信データ（送信バッファ滞留量）を保持するＤ２Ｄ専用の送信バッファを有する。バッファ状態報告（ＢＳＲ）は、当該送信バッファに関する報告である。
【０１１４】
ステップＳ３０２において、ｅＮＢ２００は、データ量情報及びバッファ状態報告に基づいて、ＵＥ１００−１及びＵＥ１００−２に、Ｄ２Ｄ通信に用いられる無線リソースを割り当てる（スケジューリングを行う）。
【０１１５】
具体的には、ｅＮＢ２００は、データ量情報によって示されるＤ２Ｄデータ量及びバッファ状態報告によって示される送信バッファ滞留量に応じて、割り当てる無線リソース量を変化させる。例えば、ｅＮＢ２００は、Ｄ２Ｄデータ量が閾値以上であり、且つ、送信バッファ滞留量が閾値以上である場合には、専用の無線リソースを周期的に割り当てる。一方、ｅＮＢ２００は、Ｄ２Ｄデータ量が閾値未満であり、且つ、送信バッファ滞留量が閾値未満である場合には、他のＤ２Ｄ通信を行っているグループと共用の無線リソースを割り当てる。
【０１１６】
ステップＳ３０３において、ｅＮＢ２００は、データ量情報及びバッファ状態報告に基づいて割り当てられた無線リソースを示すスケジューリング情報をＵＥ１００−１及びＵＥ１００−２のそれぞれに送信する。ＵＥ１００−１及びＵＥ１００−２のそれぞれは、スケジューリング情報を受信する。
【０１１７】
ＵＥ１００−１及びＵＥ１００−２は、スケジューリング情報によって示された無線リソースを用いてＤ２Ｄ通信を行う。
【０１１８】
ステップＳ３０４において、ステップＳ３０１と同様に、ＵＥ１００−１及びＵＥ１００−２のそれぞれは、バッファ状態報告と共に、データ量情報をｅＮＢ２００に送信する。
【０１１９】
ステップＳ３０５において、ステップＳ３０２と同様に、ｅＮＢ２００は、ステップＳ３０４において受信したデータ量情報及びバッファ状態報告に基づいて、ＵＥ１００−１及びＵＥ１００−２に、Ｄ２Ｄ通信に用いられる無線リソースを割り当てる。
【０１２０】
ステップＳ３０６において、ステップＳ３０３と同様に、ｅＮＢ２００は、ステップＳ３０５において割り当てられた無線リソースを示すスケジューリング情報をＵＥ１００−１及びＵＥ１００−２のそれぞれに送信する。
【０１２１】
以下、Ｄ２Ｄ通信が終了するまで、ステップＳ３０４〜Ｓ３０６の処理が繰り返される。
【０１２２】
（第３実施形態のまとめ）
本実施形態において、ＵＥ１００−１及びＵＥ１００−２（制御部）のそれぞれは、送信バッファ滞留量を保持するＤ２Ｄ専用の送信バッファを保持する。ＵＥ１００−１及びＵＥ１００−２（無線送受信機１１０）のそれぞれは、バッファ状態報告と共にデータ量情報を送信する。ｅＮＢ２００（無線送受信機２１０）は、バッファ状態報告と共に、データ量情報を受信する。ｅＮＢ２００（制御部）は、データ量情報及びバッファ状態報告に基づいて、ＵＥ１００−１及びＵＥ１００−２に無線リソースを割り当てる。これにより、ｅＮＢ２００は、ＵＥ１００−１及びＵＥ１００−２のそれぞれの送受信したＤ２Ｄデータ量及び今後送信するデータ量が把握できるため、適切に無線リソースを割り当てることができる。
【０１２３】
［その他実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１２４】
例えば、上述した第１実施形態では、ｅＮＢ２００は、Ｄ２Ｄセットアップが完了した後に、周期情報を送信したが、これに限られない。ｅＮＢ２００は、Ｄ２Ｄセットアップ中に周期情報を送信してもよい。
【０１２５】
また、上述した第１実施形態において、ＵＥ１００−１及びＵＥ１００−２のそれぞれは、無線ベアラを用いてデータ量情報を送信していたが、これに限られない。例えば、各実施形態において、ｅＮＢ２００が、上述した周期情報、データ量要求、スケジューリング情報の少なくともいずれかをＤ２Ｄ制御用無線ベアラを用いてＵＥ１００−１及びＵＥ１００−２のそれぞれに送信してもよい。また、第３実施形態において、ＵＥ１００−１及びＵＥ１００−２のそれぞれは、Ｄ２Ｄ制御用無線ベアラを用いてバッファ状態報告と共に、データ量情報を送信してもよい。
【０１２６】
また、上述した各実施形態では、ＵＥ１００−１及びＵＥ１００−２のそれぞれが、データ量情報を送信し、ｅＮＢ２００は、ＵＥ１００−１及びＵＥ１００−２のそれぞれからデータ量情報を受信していたが、これに限られない。例えば、ＵＥ１００−１が、ＵＥ１００−１及びＵＥ１００−２を代表して、データ量情報を送信してもよい。すなわち、ＵＥ１００−１は、Ｄ２Ｄ通信のためにｅＮＢ２００との通信を代表して行うアンカーＵＥ１００である。これにより、ｅＮＢ２００は、アンカーＵＥ１００以外のＵＥ１００からのデータ量情報の受信を省略できるため、ｅＮＢ２００の負荷を低減することができる。
【０１２７】
さらに、アンカーＵＥ１００が存在する場合には、ｅＮＢ２００は、アンカーＵＥ１００とのみＤ２Ｄ制御用無線ベアラを設定すればよいため、ｅＮＢ２００の負荷を低減することができる。
【０１２８】
なお、アンカーＵＥ１００は、データ量情報だけでなく、代表して、スケジューリング情報を受信してもよい。
【０１２９】
なお、上述した第３実施形態において、ＵＥ１００−１及びＵＥ１００−２のそれぞれは、データ量情報及びバッファ状態報告をｅＮＢ２００に送信していたが、これに限られない。ＵＥ１００−１及びＵＥ１００−２のそれぞれは、データ量情報の代わりにバッファ状態報告（のみ）をｅＮＢ２００に送信してもよい。
【０１３０】
例えば、ＵＥ１００−１及びＵＥ１００−２のそれぞれは、送信バッファに保持されているＤ２Ｄ通信における未送信データが更新される度に、バッファ状態報告をｅＮＢ２００に送信する。すなわち、ＵＥ１００−１及びＵＥ１００−２のそれぞれは、前回のバッファ状態報告を作成する時に送信バッファに保持されていない新たな未送信データが保持される度に、バッファ状態報告を作成及び送信する。ｅＮＢ２００は、ＵＥ１００−１及びＵＥ１００−２のそれぞれから送信されるバッファ状態報告により得られる未送信データのデータ量を累積することによって、Ｄ２Ｄ通信で送受信されたデータ量を推測してもよい。
【０１３１】
なお、Ｄ２Ｄ通信における未送信データを示す情報は、Ｄ２Ｄ通信においてすでに送信又は受信したデータ量の少なくとも一方を示す情報ではないため、データ量情報に該当しない。
【符号の説明】
【０１３２】
１０…Ｅ−ＵＴＲＡＮ、  ２０…ＥＰＣ、  １００，１００−１，１００−２，１００−３…ＵＥ（ユーザ端末）、  １０１…アンテナ、  １１０…無線送受信機、  １２０…ユーザインターフェイス、  １３０…ＧＮＳＳ受信機、  １４０…バッテリ、  １５０…メモリ、  １６０，１６０’…プロセッサ、  ２００，２００−１，２００−２，２００−３…ｅＮＢ（無線基地局）、  ２０１…アンテナ、  ２１０…無線送受信機、  ２２０…ネットワークインターフェイス、  ２３０…メモリ、  ２４０，２４０’…プロセッサ、  ３００…ＭＭＥ／Ｓ−ＧＷ、  ４００…ＯＡＭ
【図１】
2014233012.tif 000003
【図２】
2014233012.tif 000004
【図３】
2014233012.tif 000005
【図４】
2014233012.tif 000006
【図５】
2014233012.tif 000007
【図６】
2014233012.tif 000008
【図７】
2014233012.tif 000009
【図８】
2014233012.tif 000010
【図９】
2014233012.tif 000011
【図１０】
2014233012.tif 000012